(57)【特許請求の範囲】
【請求項１】
比較的小さい断面と大きな速度を有するシャワー水流が流出する、すなわち、シャワー水流が連続的に流出する第１の様式の作動（「ハード水流作動」）と、シャワー水流が周期的に中断される第２の様式の作動（「パルス水流作動」）の、少なくとも２つの様式の作動を選択することによって作動する多機能ハンドシャワーであって、
ａ）ハウジングと
ｂ）ハウジングを閉鎖し、多数の出水開口部を有するシャワー底と、
ｃ）ハウジングの水が貫流する環状空間内に回転可能に軸承されたパルスホィールであって、回転する際にシャワー底の該当する出水開口部への水の貫流を周期的に中断し、かつ開放する該パルスホィールと、
ｄ）作動の様式を選択する切り替え機構であって、
ｉ）手動操作装置と、
ii）手動操作装置によって制御され、少なくとも２つの異なる位置へ移動することができ、それによってシャワーの作動の様式を決定する少なくとも１つの第１の切り替え装置とを有する
切り替え機構と、
を備えている多機能ハンドシャワーにおいて、
該第１の切り替え装置がストッパを作動し、該ストッパは該第１の切り替え装置の第１の位置においては該パルスホィールに設けられたストッパの移動路の外部にあって、該第１の切り替え装置の第２の位置においては該パルスホィールのストッパの移動路内に位置し、それによって該パルスホィールが決められた回動位置に留まるようにし、かつ
該切り替え機構が、比較的大きな断面と比較的低い速度を有する空気に富んだシャワー水流を該シャワー底から流出する第３の様式の作動をセットすることができるようになっていることを特徴とする多機能ハンドシャワー。
【請求項２】
該第１の切り替え装置が該シャワー底に関して半径方向に該ハウジングから出るように案内されていることを特徴とする、請求項１に記載されたハンドシャワー。
【請求項３】
該第１の切り替え装置が該シャワー底に関して軸方向に該ハウジングから出るように案内されていることを特徴とする、請求項１に記載されたハンドシャワー。
【請求項４】
第２の切り替え装置（３７、６７）が、
ａ）球部分として形成された頭部を有するシャフト部分（３７）と、
ｂ）球部分の形状の内部空間を有し、その中に該シャフト部分（３７）の球部分状の頭部相補形状で、しかし揺動可能に収容される連動リング（６３）と、
を含んでいる請求項１に記載されたハンドシャワー。
【請求項５】
該切り替え機構が次のものを含む、すなわち
iii）該手動操作装置（５３）によって並進または回転移動可能な、該ハウジング（１）内で案内されるスライダ（５６）であって、該ハンドシャワーの３つの様式の作動に対応する３つの異なる位置をとることができる該スライダ（５６）と、
iv）ガイドおよびカム機構（６２、６５）を介して、該スライダ（５６）によって２つの異なる位置へ移動可能な第２の切り替え装置（３７、６３）であって、その場合に第１の位置が「弱水流作動」で、第２の位置が「ハード水流作動」と「パルス水流作動」であり、その場合に
ｖ）「ハード水流作動」と「パルス水流作動」との第２の切り替えをもたらす該第１の切り替え装置（４５）が、ばね（４９）によってその２つの位置のうちの一方へ押圧され、
vi）該スライダ（５６）がストッパ（５９、６０）を有し、そのストッパが該スライダ（５６）の一方の位置において、「ハード水流作動」と「パルス水流作動」との間の切り替えをもたらす該第１の切り替え装置（４５）を、該ばね（４９）の力に抗して２つの位置のうちの一方に保持し、該スライダ（５６）の第２の位置においては、該ばね（４９）がこの第１の切り替え装置（４５）を２つの位置のうち他方へ押圧することを可能にする
ことを特徴とする請求項１に記載されたハンドシャワー。
【請求項６】
一方における「弱水流作動」と、他方における「ハード水流作動」並びに「パルス水流作動」との間で切り替えを行う第２の切り替え装置（３７、６３）が、該ハウジング（１）内に形成された２つの弁座（３０、３１）と協働する二重弁円錐（３６）を付勢することを特徴とする、請求項１に記載されたハンドシャワー。
【請求項７】
第１と第２の切り替え装置（３７、４５）が互いに平行であって、かつスライダ（５６）の移動方向に対して垂直に移動することを特徴とする、請求項１に記載されたハンドシャワー。
【請求項８】
該第２の切り替え装置（４５）が中空に形成された該第２の切り替え装置（３７）の内部で同軸に案内されていることを特徴とする、請求項７に記載されたハンドシャワー。
【請求項９】
該手動操作機構（５３）が、揺動部材であって、この揺動部材が中央の第１の位置から第２の位置及び第３の位置へ揺動可能であることを特徴とする、請求項１に記載されたハンドシャワー。
【請求項１０】
該揺動部材（５３）にスライダ（５６）の連動切欠き（５７）に嵌入する操作フィンガーが形成されていることを特徴とする、請求項９に記載されたハンドシャワー。
【請求項１１】
ガイドおよびカム機構（６１、６２、６５）がスライダ（５６）の中央の位置に関して対称に作用し、それに対して該スライダ（５６）のストッパ（５９、６０）は該スライダ（５６）の中央の位置に関して非対称に作用し、前記ストッパは該スライダ（５６）の中心を外れた位置においてのみ該第１の切り替え装置（４５）が第２の位置へ移動するのを阻止することを特徴とする、請求項１に記載されたハンドシャワー。
【請求項１２】
ガイドおよびカム機構（６１、６２、６５）が次のものを有する、すなわち
ａ）スライダ（５６）に形成された少なくとも１つのガイドスロット（６２）、
ｂ）第２の切り替え装置（３７）と結合された、ガイドスロット（７２）に嵌入する少なくとも１つの連動ピン（６５）
を有することを特徴とする、請求項１に記載されたハンドシャワー。
【請求項１３】
ガイドおよびカム機構（６１、６２、６５）が次のものを有する、すなわち、
ａ）互いに平行にスライダ（６１）に配置された２つのガイドスロット（６２）、
ｂ）直径方向に対向する側において第２の切り替え装置（３７、６３）から突出し、それぞれ２つのガイドスロット（６２）のうち一方へ嵌入する２つの連動ピン（６５）
を有することを特徴とする、請求項１２に記載されたハンドシャワー。
【請求項１４】
各ガイドスロット（６２）がＶ字形状であることを特徴とする、請求項１２に記載されたハンドシャワー。
【請求項１５】
スライダ（５６）のストッパが、第１の切り替え装置（４５）の移動方向に対して垂直にスライダ（５６）から突出するブーム（５９）によって形成されていることを特徴とする、請求項１に記載されたハンドシャワー。
【請求項１６】
該ブーム（５９）の自由端部に該スライダ（５６）の移動方向に対して斜めにされたカム面（６０）が設けられていることを特徴とする、請求項１５に記載されたハンドシャワー。
【発明の詳細な説明】
【０００１】
【発明の属する技術分野】
本発明は、少なくとも２つの様式の作動が可能なハンドシャワー、すなわちシャワー水流が比較的小さい断面で流出する状態と、比較的大きい速度で流出する状態とに切り替えることができる多機能ハンドシャワーに関するものである。
【０００２】
【従来の技術】
少なくとも２つの様式の作動が可能なハンドシャワーは、
ａ）シャワー水流が連続的に流出する第１の様式の作動（「ハード水流作動」）、と、
ｂ）シャワー水流が周期的に中断される第２の様式の作動（「パルス水流作動」）、
とによって選択的に作動可能な多機能ハンドシャワーであって、
ｃ）ハウジングと、
ｄ）ハウジングを閉鎖し、多数の出水開口部を備えているシャワー底と、
ｅ）ハウジングの水が貫流する環状室内に回転可能に軸承されたパルスホイールであって、回転する際にシャワー底の該当する出水開口部への水の貫流を周期的に中断するか、或いは開放するパルスホイールと、
ｆ）作動様式を選択する切り替え機構であって、
ｆａ）手動操作装置と、
ｆｂ）手動操作装置によって制御され、少なくとも２つの異なる位置へ移動されることができ、それによってシャワーの作動様式を決定する、少なくとも１つの切り替え装置とを備えた切り替え機構、
を有する。
【０００３】
この種の公知の多機能ハンドシャワーにおいては、水は「ハード水流」と「パルス水流」の作動の様式において、ハウジング内部の異なる水路とシャワー底の異なる出水開口部を通過する。一方の水路内には環状室が設けられており、その中でパルスホイールが回転する。一方の作動様式から他方の作動様式への切り替えは弁部材によって行われ、弁部材はシャワーのグリップを介して供給される水を、該当する作動の様式に従属する２つの水路の一方へ選択的に案内する。この装置の欠点は、異なる水路が必要であるためにハウジングの内部構造が比較的複雑であること、さらに水路が比較的狭くなって、特にシャワー底の出水開口部が「ハード水流作動」と「パルス水流作動」では異なることである。そのことによって、「ハード水流作動」においても「パルス水流作動」においても比較的僅かな出水開口部しか使えなくなってしまう。この問題は特に、多機能ハンドシャワーにおいて上述の２つの様式の作動の他にさらに第３の様式の作動を可能とする場合に生じる。さらに、公知のシャワーにおいては「ハード水流作動」の水流形状が「パルス水流作動」のそれとは異なる。
【０００４】
【発明が解決しようとする課題】
本発明の課題は、その内部構造が簡単で、内部の水路が大面積の貫流断面を有し、「ハード水流作動」と「パルス水流作動」において使用できるシャワー底の出水開口部の数ができるだけ多く保たれ、かつシャワー底の広い面領域にわたって届く水流形状が得られる冒頭で述べた様式の多機能ハンドシャワーを提供することである。
【０００５】
【課題を解決するための手段】
この課題は、本発明によれば、先にａ）からｆｂ）までとして記載した多機能ハンドシャワーの構成に加えて、
ｇ）切り替え装置がストッパを付勢し、ストッパは切り替え装置の第１の位置においてはパルスホィールに設けられたストッパの移動路の外部に位置し、切り替え装置の第２の位置においてはパルスホィールのストッパの移動路内へ来て、パルスホィールが決められた回転位置に留まるようにされる、ことによって解決される。
【０００６】
従って本発明による多機能ハンドシャワーにおいては、各様式の作動に対して専用の水路とシャワー底の専用の流出開口部とを設けるという従来採られてきた方法は捨てられている。その代わりに、水は水流が比較的大きな速度と小さい断面で発生されるべき作動の様式（そしてこれは「ハード水流作動」でもあり「パルス水流作動」でもある）において、同一の水路を介して、かつ同一の出水開口部を介して案内される。本発明によれば、それぞれの様式の作動は水路内部の環状空間内に回転可能に軸承されているパルスホィールが停止されている（「ハード水流作動」）か、あるいは自由に回転することができるようになっている（「パルス水流作動」）かによって選択される。このことは、パルスホィールと結合されたストッパの移動路に簡単な方法で挿入されるストッパを用いて行うことができる。
【０００７】
【発明の実施の形態】
本発明の実施形態においては、切り替え装置はシャワー底に関して半径方向にハウジングから出るように案内される。その場合に手動操作装置はハンドシャワーのハウジングのベル形状に拡幅された拡幅部の側面またはシャワー底の周面に設けられる。
【０００８】
場合によっては、切り替え装置はシャワー底から軸方向に出るように案内される。従ってその場合にはシャワー底の端面に該当する切り替え装置が設けられ、この切り替え装置は２つの位置間で簡単に軸方向に調節される。
【０００９】
しかし、本発明の好ましい実施形態においては、切り替え装置は切り替え機構の一部であって、切り替え機構によってさらに第３の様式の作動が調節可能であり、この第３の様式の作動においては、シャワー底から比較的大きい断面と比較的低い速度を有する空気に富んだシャワー水流が流出する（「弱水流作動」）。上述の実施形態においては切り替え機構は３つの様式のすべての作動に関して統合されており、場合によっては唯一の手動操作装置によって操作することができる。
【００１０】
これに関連して、本発明の好ましい実施形態においては、切り替え機構は次のものを有する。すなわち、
ｆｃ）手動操作装置によって並進または回転移動可能で、ハウジング内で案内され、ハンドシャワーの３つの様式の作動に相当する異なる位置を占めることのできるスライダと、
ｆｄ）ガイドおよびカム機構を介してスライダにより異なる２つの位置へ移動可能な他の切り替え装置であって、その場合に第１の位置は「弱水流作動」において、そして第２の位置は「ハード水流作動」と「パルス水流作動」の両方において占められ、その場合に  ｆｅ）「ハード水流作動」と「パルス水流作動」との間の切り替えを行う切り替え装置がばねによってその２つの位置のうち一方へ押圧され、
ｆｆ）スライダがストッパを有し、そのストッパはスライダの第１の位置においては「ハード水流作動」と「パルス水流作動」間の切り替えをもたらす切り替え装置をばねの力に抗して２つの位置の一方に保持し、スライダの第２の位置においては、ばねがこの切り替え装置を２つの位置の他方へ押圧するのを可能にする。
【００１１】
本発明の好ましい実施形態においては他の切り替え装置が、ハウジング内に形成された２つの弁座と協動する二重弁円錐を付勢する。従って、この二重弁円錐はハンドシャワーのハンドグリップを介して供給される水を２つの水路に分配する。第１の水路はシャワーのハウジングに組み込まれた、水に空気を添加する装置へ通じ、そこから比較的大きな出水開口部へ通じている。弱水流が発生する。他方の水路は、ハード水流ないしは脈動するハード水流が発生される両方の様式の作動用に定められており、その場合に第２の切り替え装置によってこの両方の様式の作動の選択を行うことができる。
【００１２】
幾何学的に好ましいのは、両方の切り替え装置が互いに平行であって、スライダの移動方向に対して垂直に移動することができる場合である。ハンドシャワーのハウジングの壁に対してスライダが平行に移動することは容易に実施することができる。切り替え装置の、それに対して垂直に向けられた移動は、その後に移動すべき要素が存在しているハウジングの内部へ導かれる。
【００１３】
その場合に特にスペースをとらないのは、第２の切り替え装置が中空に形成された第１の切り替え装置の内部において同軸に案内されている場合である。この構成は、第１の切り替え装置の第１の位置において第２の切り替え装置の移動を該当するストッパによって中断させるために容易に利用することができる。
【００１４】
本発明によるハンドシャワーの実施形態においては、手動操作機構は揺動部材であって、この揺動部材は中央の第１の位置から時計方向に第２の位置へ、そして反時計方向に第３の位置へ揺動することができる。サニタリー部材の操作機構としての揺動部材はそれ自体公知であって、かつよく使用されている。その理由は、操作が簡単であって、該当するサニタリー部材に外観良く収容されるからである。公知の揺動部材はもちろん２つの異なる揺動位置しか持たないが、本発明によって形成されたハンドシャワーの場合には、揺動部材はさらに第３の中央位置をもとることができる。
【００１５】
揺動部材からスライダへ力を伝達することは、例えば揺動部材に、スライダの連動開口部へ嵌入する操作フィンガーが形成されるようにして行うことができる。揺動部材の操作フィンガーの揺動運動は容易にスライダの線形移動に変換される。
【００１６】
特に好ましい本発明の実施形態においては、ガイドおよびカム機構はスライダの中央位置に関して対称に作用し、それに対してスライダのストッパはスライダの中央位置に関して非対称に作用し、ストッパはスライダの中央をはずれた位置においてのみ第２の切り替え装置の第２の位置への移動が中断される。従って本発明のこの実施形態においては、スライダの中央の位置は、第１の切り替え装置が第１の位置を占める第１の様式の作動に相当する。スライダがこの中央の位置からどの方向へ移動されるかに関係なく、対称に形成されたガイドおよびカム機構によって第１の切り替え装置は常に第２の位置へ移動される。しかし、中央の位置から中央を外れた両方の位置へのスライダの移動方向は反対方向に行われるので、この中央を外れた位置の一方においてスライダのストッパが第２の切り替え装置に作用して、これをその第１の位置に引き止め、それに対して中央を外れた第１の位置においては第２の切り替え装置を開放して、その優先位置へ押し出すようにすることは、幾何学的に容易である。
【００１７】
この種の対称に作用するガイドおよびカム機構は、１つまたは複数のＶ字状のガイドスロットが第１の切り替え装置に形成された１つまたは複数の連動ピンと協動することによって最も簡単に得られる。スライダの中央位置においては、各連動ピンは該当するＶ字の頂点に位置する。スライダのそれぞれ側方の移動は、連動ピンをＶ字の該当する辺に沿って押圧するので、第１の切り替え装置の該当する移動は、スライダが中央の位置からどちらの方向へ移動されるかとは関係なく、同一の方向に行われる。
好ましくは、切り替え装置は、
ａ）球部分として形成された頭部を有するシャフト部分、
ｂ）球部分の形状の内部空間を有し、その中にシャフト部分の球部分状の頭部相補形状で、しかし揺動可能に収容される連動リング、
を有する。
【００１８】
従ってこの実施形態は、第１の切り替え装置の揺動を可能にするので、ハウジングの内部で万一整合および角度誤差があった場合に第１の切り替え装置の固着が心配されることはない。
【００１９】
スライダのストッパは、好ましくは、第２の切り替え装置の移動方向に対して垂直にスライダから突出するブームによって形成することができる。このブームは、第２の切り替え装置がばねの力に抗して第１の位置に引き止められる位置において、第２の切り替え装置の自由端部に重なる。
【００２０】
ブームの自由端部に、スライダの移動方向に対して斜めにされたカム面を設けることができる。従ってスライダが、第２の切り替え装置の第２の位置に相当する中心をはずれた位置から中央位置へ復帰すると、第２の切り替え装置は斜めにされたカム面によってばねの力に抗してその第１の位置へ押し戻される。
【００２１】
【実施例】
以下、図面を用いて本発明の実施例を詳細に説明する。
【００２２】
図１は、ハンドシャワー全体の断面を示すものであって、まずこれを用いてハンドシャワーを作動することのできる多数様式の作動のための水路を説明する。図示のハンドシャワーはそれ自体公知のようにハウジング１を有し、このハウジングは図面の左の領域１ａにおいてベル形状に拡幅されており、図１では殆ど除去されている右の領域はハンドグリップ１ｂへ移行している。ハンドグリップ１ｂは中空である。その内部空間２は、一般にハンドシャワーにおいてそうであるように、給水に用いられる。
【００２３】
ハウジング１のベル形状に拡幅された領域１ａの下方はシャワー底３によって閉鎖されている。シャワー底は、図示の実施例においては、衝突保護プレートとして用いられるエラストマー材料からなる外側の層３ａと、内側の硬い層３ｂから組み立てられている。シャワー底３には、シャワー底３の中心軸の回りに同心円として配置された２組の出水開口部４、５が設けられている。出水開口部４は比較的小さい断面を有し、ハウジング１の内部空間へ比較的深く延びているホース状のノズル挿入部６の外側端部に配置されている。このノズル挿入部６もエラストマー材料から形成されている。
【００２４】
それと同様に、比較的大きな断面を有する出水開口部５はホース状のノズル挿入部７の外側端部に配置されている。しかしこのノズル挿入部は比較的短い区間にわたってのみハウジング１の内部へ延びているにすぎない。ホース状のノズル挿入部７もエラストマー材料から形成される。
【００２５】
ハウジング１のベル形状の領域１ａの内部に挿入部８が取り付けられている。この挿入部は比較的複雑な形の成形部品であって、図面では一体的に図示されているが、実際には一般に多数の部分から組み立てられている。挿入部８は大まかに言ってシャワー底３に対して平行に延びる領域８ａと、この領域８ａの背側から図１においてさらに上方へ延びるほぼ円筒状の取り付け部８ｂに分割される。円筒状の取り付け部８ｂは、ハウジング１に形成された円筒状の壁９内に挿入されて、Ｏリング１０によって壁に対してシールされ、シャワー底３へ向かう軸方向に（例えば接着または係止（図示せず））によって固定されている。
【００２６】
シャワー底３は、挿入部８の中央の段付き孔１２内に螺合されている中央の固定ボルト１１によって、挿入部８と、それに伴ってハウジング１に固定されている。
【００２７】
挿入部８内に多数の環状空間が形成されている：
第１の環状空間１３は円筒状の挿入部８ｂの内部に配置されている。この環状空間は、ハウジング１の環状の壁９に形成されたハンドグリップ１ｂの方向を向いた透孔１４と連通している。
【００２８】
環状空間１３はさらに、リング状の底に形成されている多数の透孔１５を介して第２の環状空間１６と連通しており、この第２の環状空間はシャワー底３に対して平行に、ほぼその全面にわたって延びる分水室１７に連通している。分水室１７は、より大きな断面を有する出水開口部５に属するホース状のノズル挿入部７の内側端部と連通している。
【００２９】
挿入部８のシャワー底に対して平行に延びる領域８ａに、第３の環状空間１８が形成されており、この第３の環状空間は周面にわたって分配された多数の透孔１９を介して第４の環状空間２０と連通している。この第４の環状空間２０は第３の環状空間１８をより大きい半径で同心状に包囲している。
【００３０】
第４の環状空間２０の底に、各ホース状のノズル挿入部６に対して同軸に透孔２１が形成されており、この透孔の外側の端部は、挿入部８の下側に形成された小さい円筒状のカラー２２によって包囲されている。円筒状のカラー２２はホース状のノズル挿入部６の内側に位置する端部を収容している。このようにして、このホース状の挿入部６の弾性的な特性によって、第４の環状空間２０から断面の小さい出水開口部４へ水が水密に移動することが保証される。
【００３１】
第４の環状空間２０内にはパルスホイール２３が回転可能に軸承されており、このパルスホイールには、特に図１１から明らかなように、ほぼ半径方向に延びる多数の湾曲したタービン羽根２４が設けられている。
【００３２】
パルスホイール２３の案内は、第４の環状空間２０の底面の溝２６内で回転する、一体的に形成されたリング状のリブ２５によって行われる。
【００３３】
パルスホイール２３のリブ２５には直径方向に対向して２つのカバーリングセグメント２７が支持されており、このカバーリングセグメントはそれぞれ約９０°の角度にわたって第４の環状空間２０の底に対して平行に延びており、環状空間２０の対応する周面領域において透孔２１を覆っている。一方のカバーリングセグメント２７のタービン羽根の間には、さらにタービン羽根を越えて軸方向に突出するストッパ２８が形成されている。このストッパは後述するようにしてパルスホイール２３を所定の回転位置にブロックするために用いられる。カバーリングセグメント２７にはさらに多数の小さい透孔２９が形成され、これら透孔は上述のパルスホイールのブロッキング位置においてそれぞれ挿入部８の透孔２１と整合する。
【００３４】
ハンドシャワーのハウジング１の、ハンドグリップの内部空間２と透孔１４の間にはさらに、軸方向下方へ向いた第１の弁座３０が形成されている。
【００３５】
第２の弁座３１は、挿入部８の円筒状のカラー３２に形成された第１の弁座３０に対して同軸に設けられており、前記カラーはハウジング１の相補的な開口部３３内に挿入されて、Ｏリング３４によってその開口部に対してシールされている。
【００３６】
第２の弁座３１は透孔３５を介して第３の環状空間１８と接続されている。
【００３７】
両方の弁座３０と３１は軸方向に移動可能な二重弁円錐３６と協働し、この二重弁円錐自体はシャフト部分３７と弁座３０および３１と協働する本来のシール３８から構成されている。二重弁円錐３６のシャフト３７は開口部３９を通してハウジング１から導出されており、その場合にシャフト部分３７の外側面と対応するハウジング壁との間に形成された形状シール４０が、ハウジング１の内部空間から水が溢れ出すのを防止している。シャフト部分３７の外側に位置する端部は切り替え機構と接続されており、切り替え機構全体が符号４１を有し、ハウジング１の上側に形成された後方張出し部４２内に部分的に収容されているが、それについては後に詳しく説明する。
【００３８】
二重弁円錐３６は、シャフト部分３６の段部とハウジング１に支持されたライナーディスク４４との間に弾装された押圧ばね４３によって、二重弁円錐のシール３８が通常は図１に示す位置にあって、従って第２の弁座３１を閉鎖するように付勢されている。
【００３９】
二重弁円錐３６全体はストッパーロッド４５によって同軸に貫通されている。このストッパーロッドの下端部は、第４の環状空間２０に連通する孔４６を通して案内されている。ストッパーロッド４５と二重弁円錐３６の内側の間隙との間に挿入された形状シール４７によって、第４の環状空間２０から水が逃げるのが防止される。
【００４０】
ストッパーロッド４５は二重弁円錐３６の内部で軸方向に摺動する。このストッパーロッドは２つの位置をとることができる。すなわち、図１に示す第１の位置においては、ストッパーロッド４５の下端部が第４の環状空間２０内へ所定量突出して、パルスホィール２３のストッパ２８の移動路内に位置する。ストッパ２８がストッパーロッド４５の下端部に当接すると、カバーセグメント２７に形成されている透孔２９が挿入部８の透孔２１に整合する。
【００４１】
第２の軸方向の位置においては、ストッパーロッド４５は上方へ所定量移動して、その下端部はパルスホィール２３のストッパ２８の移動路には位置しないので、パルスホィール２３は完全に自由に回動することができる。
【００４２】
ストッパーロッド４５の周面隆起部４８と形状シール４７の上側との間に弾装された押圧ばね４９が二重弁円錐３６の内部でストッパーロッド４５を上方へ押圧する。
【００４３】
二重弁円錐３６とストッパーロッド４５の位置を調節することができる切り替え機構４１についてさらに説明する前に、図示のハンドシャワーを作動することのできる３つの作動様式について説明しておいた方が良いと思われる。これらの作動の様式を知っていると、切り替え機構４１の理解が容易になる。
【００４４】
ハンドシャワーの第１様式の作動が図１と図２から図４に図示されている。この様式の作動においては二重弁円錐３６によって第２の弁座３１が閉鎖されている。ハンドグリップ１ｂの内部空間２を介して供給される水は第１の弁座を通過してハウジング１の壁９の透孔１４を通って挿入部８ｂの第１の環状空間１３へ流入する。そこから水はさらに開口部１５を介して第２の環状空間１６へ、そして分水室１７へ、そしてさらにホース形状のノズル挿入部７の内側端部を覆っているリングフィルタ５０を介して外部へ流出する。
【００４５】
透孔１５を多数の個別水流の形状で通過する水は第２の環状空間１６へ流入する際に空気を付加され、この空気は環状空間１６を中央の段付き孔１２と接続する半径方向孔５１、段付き孔１２自体を介し、且つシャワー底の透孔５２を通して吸引される。従って出水開口部５から流出する水は極めて細かい気泡に富んでいる。出水開口部５の断面が比較的大きいことによって、ここで発生されるシャワー水流は比較的低速である。従ってシャワー水流は弱いと感じられる。業界ではこれを「ソフトまたは弱水流作動」と称する。
【００４６】
シャワーの第２の様式の作動は、二重弁円錐３６が上方へ移動されることにより第１の弁座３０が閉鎖されて、第２の弁座３１が開放される場合に得られる。それに対してストッパーロッド４５は以前と同じ位置にあって、その位置においてその下端部がパルスホィール２３の自由な回動を阻止している。この状況が図５から図７に図示されている。
【００４７】
この様式の作動においては、ハンドグリップ１ｂの内部空間２を介して供給される水は挿入部８の透孔３５を通って第３の環状空間１８へ流入し、そこから半径方向へ向けられた透孔１９を介して第４の環状空間２０へ流入する。パルスホィール２３のストッパ２８が未だストッパーロッド４５の下端部に接していない場合には、パルスホィールはタービン羽根２４によって僅かに回動されて、やがてストッパ２８がストッパーロッド４５に当接する。その結果、パルスホィール２３のそれ以上の回動は不可能となる。第４の環状空間２０は単純な分水室として作用し、そこから水が第４の環状空間２０の底の透孔２１とホース状のノズル挿入部６を介して出水開口部４へ流出する。ここで流出するシャワー水流は出水開口部４の幾何学配置によって比較的急速であり、また十分に空気に富んでいないのでハードであると受けとられる。従って、これをハンドシャワーの「ハード水流作動」と称する。
【００４８】
ハンドシャワーの第３の様式の作動においては、二重弁円錐３６は第２の様式の作動におけるのと同一の位置を有する。すなわち、二重弁円錐は第１の弁座３０を遮断して第２の弁座３１を解放する。それに対して、ストッパーロッド４５は今度は軸方向に上方へ引き戻されるので、その下端部はパルスホィール２３の回動をもはや阻止しない。水路は第２の様式の作動におけるものと同一である。すなわち、水はハンドグリップ１ｂの内部空間２を介して第２の弁座３１を通過し、透孔３５を通って第３の環状空間１８へ流入し、そこから半径方向の透孔１９を介して第４の環状室２０へ流入し、そこから透孔２１とホース状のノズル挿入部６を介して小さい断面を有する出水開口部４へ流れる。しかし今はストッパーロッド４５の下端部はパルスホィール２３に設けられたストッパ２８の移動路には位置していないので、このパルスホィールはタービン羽根２４から流れてくる水によって回転される。パルスホィールの一部を形成するカバーリングセグメント２７は透孔２１の上方で回転し、透孔を交互に自由にすると共に、透孔を再び閉鎖する。その結果、出水開口部４から流出するハード水流は付加的に周期的に中断されるので「脈動する」。従って、これを「パルス水流作動」ないしは「マッサージ水流作動」と称する。
【００４９】
次に、切り替え機構４１と切り替え機構の二重弁円錐３６並びにストッパーロッド４５の協働について、従って、どのようにして二重弁円錐３６とストッパーロッド４５が３つの様式の作動をもたらすために移動されるかということについて説明する。そのためにまず図２から図４を参照する。
【００５０】
そこに図示されているように、切り替え機構４１のハウジング１の切欠き４２内に収容されている部分にはシーソー状の手動操作機構５３が設けられており、以下においてはこれを単に「揺動部材」と称する。揺動部材５３はハウジング１の切欠き４２の上方を閉鎖しており、容易に操作できるように所定量突出している。揺動部材５３には切欠き４２の内部へ突出する操作フィンガー５４が形成されている。この操作フィンガーの上方の領域は、ハウジング１の側壁内に保持される揺動ピン５５によって貫通されている。このようにして揺動部材５３は揺動ピン５５によって決定される水平軸を中心に揺動する。
【００５１】
操作フィンガー５４の下端部はスライダ５６の連動切欠き部５７に嵌入する。スライダ５６は、その側壁並びに隣接のハウジング壁が適当に成形されていることによって、切欠き４２の内部で両方向矢印５８の方向に摺動するように案内される。この配置から明らかに、揺動部材５３に作用する圧力によってスライダ５６が切欠き４２の内部で線形に移動することができ、特に上述のハンドシャワーの３つの作動様式に対応する位置の間で移動することができる。図２から図４においては、揺動部材５３もスライダ５６も中央位置で図示されており、この位置はハンドシャワーの第１の様式の作動に相当し、従って「弱水流作動」に相当する。
【００５２】
スライダ５６の上側には矢印５８の方向に対してほぼ平行に延びるブーム５９が形成されており、このブームの端部には斜めに延びるカム面６０が設けられている。
【００５３】
スライダ５６のブーム５９の両側にはそれぞれＶ字形状のガイドスロット６２を有するガイドプレート６１が形成されている。図２と図３においては図面平面の後方にあるガイドプレート６１のみが部分的に認められる。前方のガイドプレート６１は、断面で示すように、カットされている。切断箇所は斜線を引いた矩形６８で示されている。それに対して図４においては、二重弁円錐６３の上方の端部の領域における図示は異なるように選択されており、特に、本来切断平面の前にあるガイドプレート６１と、それがどのようにしてスライダ５６のブーム５９と結合されているかが認められる。
【００５４】
シャフト部分３７の上端部は、特に図２から明らかなように、球状に形成されている。この上端部は、２つの部分から構成される連動リング６３の、相補的な球状に形成された内面によって収容される。連動リング６３は、ハウジング１の切欠き４２の底に形成された円筒状のカラー６４内で軸方向に摺動可能に案内されている。
【００５５】
図２と図４から明らかなように、連動リング６３の外側面から図面平面に対して垂直に、直径方向に対向して、２つの連動ピン６５が突出している。この連動ピン６５はそれぞれ隣接するガイドプレート６１のガイドスロット６２によって収容される。これは特に図４から明らかである。
【００５６】
第１の様式の作動において、従って「弱水流作動」において、スライダ５６と特にガイドプレート６１に設けられているＶ字状のガイドスロット６２の二重弁円錐３６の上端部に対する相対位置は、連動ピン６５がＶ字状のガイドスロット６２の下方の頂部に来るように設定されている。これは特に図４に図示されている。図から明らかなように、これは二重弁円錐３６が下方の位置を占めることができ、そこでそのシール３８が第２の弁座３１を閉鎖する位置である。二重弁円錐３６のシャフト部分３７とストッパーロッド４５の間が内側で相補形状で結合されていることによって、ストッパーロッドもその最も下の位置にあって、従ってその位置においては、その下端部が第４の環状空間２０内に突出する。ストッパーロッド４５の上端部はスライダ５６のブーム５９に形成されたカム面６０と僅かな距離で対向している。
【００５７】
ここで、ハンドシャワーが図２と図４に図示される第１の様式の作動から、シャワー底３の出水開口部４から脈動されない、従って中断されないハード水流が流出する第２の様式の作動に切り替えるものとする。そのために揺動部材５３の図２から図４において揺動ピン５５の右にある領域が押圧されて、操作フィンガー５４が時計方向に揺動する。図２から図４に示された相対位置から、図５から図７に示された相対位置へ達する。
【００５８】
図５からまず、スライダ５６のブーム５９の下側がストッパーロッド４５の上端の上方へ移動されていることが明らかである。従ってストッパーロッド４５は以前と同様に、その下端部がパルスホィール２３をブロックする軸方向位置から離れることができる。
【００５９】
二重弁円錐３６はそれとは異なっている。特に図７から明らかなように、スライダ５６が左へ線形に移動することによって連動リング６３の連動ピン６５がＶ字状ガイドスロット６２の図面右にある辺内へ圧入される。この辺が斜めになっていることによって、連動ピン６５はカム作用で上方へ引っ張られる。連動リング６３と二重弁円錐３６のシャフト部分３７との間の相補形状結合によって二重弁円錐は軸方向上方へ連動して、図５から図７に図示するように、第１の弁座３０を閉鎖する。すでに説明したように、二重弁円錐３６がこのように軸方向へ移動する場合にストッパーロッド４５は軸方向に留まっているので、その場合に二重弁円錐３６とストッパーロッド４５間に配置された押圧ばね４９が圧縮される。この状況は明らかに、第２の様式の作動にとって望ましいものである。すなわち、水は第２の弁座３１を通過して第３の環状空間１８を介して第４の環状空間２０へ流れ、そこから出水開口部４へ流れるが、その場合にストッパーロッド４５は前と同様にパルスホィール２３の回動可能性を阻止している。
【００６０】
図２から図４に示す揺動部材５３とスライダ５６の「中央位置」から、利用者が揺動部材５３の図面において揺動ピン５５の左にある側を押すことによって、脈動するハード水流が出水開口部４から流出する第３の様式の作動に達する。揺動部材５３の操作フィンガー５４が反時計方向へ揺動して、スライダ５６を図２から図４に示す位置から右へ移動させる。種々の部分の相対位置が図８から図１０に図示されている。
【００６１】
二重弁円錐３６の軸方向位置に関しては、状況は明らかに図５から図７に図示されている第２の様式の作動の場合と完全に同一である。唯一の差は、連動リング６３の連動ピン６５が今度はガイドスロット６２の図面において左の辺に圧入されることである。しかし、連動リング６３とそれに伴って二重弁円錐３６全体の持ち上がり移動は、カム作用によって第２の様式の作動の場合と完全に同じように行われる。その限りにおいてはこの状況は、図から明らかなように、図２から図４の「中央位置」から右と左へ移動する場合と対称である。
【００６２】
それに対してストッパーロッド４５に関しては異なっている。
【００６３】
スライダ５６が図２から図４に対して右へ移動することによって、特に図８と図９から明らかなように、ストッパーロッド４５の上端部はスライダ５６のブーム５９の領域の外部に達する。ストッパーロッド４５は押圧ばね４９の作用を受けて、二重弁円錐３６の動きに追従して上方へ押圧されるので、ストッパーロッド４５の下方の端部は上方へ移動して、パルスホィール２３の運動を自由にする。この状況は明らかに第３の様式の作動に望ましいものである。すなわち、水は第２の弁座３１を通過して、第３の環状空間１８を通って第４の環状空間２０へ流入し、そこで水は妨げられることなくパルスホィール２３を回転させることができる。シャワー底３の出水開口部４からは所望の脈動するハード水流（パルス水流またはマッサージ水流）が流出する。
【００６４】
水の供給を遮断した後に、押圧ばね４３は二重弁円錐３６を図２から図４に示す位置へ復帰させ、それによってこの位置は優先位置となる。従って自動的に第１の様式の作動が得られるので、新たに水を供給すると「弱水流作動」が存在する。
【００６５】
もちろん、それなりの構造的な手段によって、図５から図１１に対応する位置を、最初に開放した場合、あるいは上述のように水流を止めた場合に自動的に得られる優先位置とすることも可能である。
【図面の簡単な説明】
【図１】  グリップ領域が除去されているハンドシャワーの断面図である。
【図２】  図１に示すハンドシャワーの切り替え機構をハンドシャワーの第１の作動位置において拡大して一つの視点から示す断面図である。
【図３】  図１に示すハンドシャワーの切り替え機構をハンドシャワーの第１の作動位置において拡大して他の視点から示す断面図である。
【図４】  図１に示すハンドシャワーの切り替え機構をハンドシャワーの第１の作動位置において拡大してさらに他の視点から示す断面図である。
【図５】  図２から図４と同様に、第２の作動位置において拡大して一つの視点から示す断面図である。
【図６】  図２から図４と同様に、第２の作動位置において拡大して他の視点から示す断面図である。
【図７】  図２から図４と同様に、第２の作動位置において拡大してさらに他の視点から示す断面図である。
【図８】  図２から図４と同様に、第３の作動位置において拡大して一つの視点から示す断面図である。
【図９】  図２から図４と同様に、第３の作動位置において拡大して他の視点から示す断面図である。
【図１０】  図２から図４と同様に、第３の作動位置において拡大してさらに他の視点から示す断面図である。
【図１１】  図１のハンドシャワーに含まれるパルスホイールの上面図である。
【符号の説明】
１…ハウジング
３…シャワー底
４，５…出水開口部
２０…環状空間
２３…パルスホィール
２８…ストッパ
４５…ストッパーロッド
５３…シーソー状の手動操作部材
【図１】
0003751676.tif 000002
【図２】
0003751676.tif 000003
【図３】
0003751676.tif 000004
【図４】
0003751676.tif 000005
【図５】
0003751676.tif 000006
【図６】
0003751676.tif 000007
【図７】
0003751676.tif 000008
【図８】
0003751676.tif 000009
【図９】
0003751676.tif 000010
【図１０】
0003751676.tif 000011
【図１１】
0003751676.tif 000012